(57)【要約】【課題】無線によるデータ送受信により、簡単な操作により所望のデータを作成し、プリンタへデータ送って印刷することのできる携帯端末を提供する。【解決手段】携帯電話１は、携帯電話網を介してテンプレートデータサーバ４に蓄積されているテンプレートデータをダウンロードする。ユーザーは、携帯電話１に配置されたキーボードなどから、テンプレートデータにを用いて印刷するための文書データを作成する。携帯電話１は、プリンタ２と無線通信接続をおこない、携帯電話１からプリンタ２へ文書データを送信し印刷をおこなう。  【選択図】  図１
2007122386.tif 000002
【特許請求の範囲】
【請求項１】
ネットワーク上のテンプレートデータサーバから、複数の文書テンプレートの一覧リストを取得する取得手段と、取得した複数の文書テンプレートから所望の文書テンプレートを選択する選択手段と、選択手段により選択された文書テンプレートのデータをダウンロード受信する受信手段と、受信した文書テンプレートデータを利用して文書データを作成するための作成手段と、この作成手段により作成された文書データを印刷するためにプリンタへ前記文書データを無線送信する手段とを備えたことを特徴とする無線携帯端末。
【請求項２】
前記複数の文書テンプレートデータを保持する内部メモリを具備し、前記選択手段は、選択された文書テンプレートデータを前記内部メモリより読み出すことを特徴とする請求項１記載の無線携帯端末。
【請求項３】
前記受信手段は、善意文書テンプレートデータを携帯電話網に接続することで取得することを特徴とする請求項１記載の無線情報端末。
【請求項４】
無線携帯端末を用いて文書作成する方法において、  ネットワーク上のテンプレートデータサーバから、複数の文書テンプレートの一覧リストを取得し、取得した複数の文書テンプレートから所望の文書テンプレートを選択し、選択された文書テンプレートデータをダウンロード受信する受信し、受信した文書テンプレートデータを利用して作成された文書データを保持し、この保持された文書データを印刷するためにプリンタへ前記文書データを無線送信することを特徴とする文書作成方法。
【発明の詳細な説明】
【技術分野】
【０００１】
本発明は、無線送信が可能な携帯端末を用いた文書データ作成方法に関し、特に文書作成および作成した文書の印刷指示が簡易に行うことができる携帯端末装置における文書作成方法に関するものである。
【背景技術】
【０００２】
近年、携帯電話にはカメラ機能や、インターネット接続機能が具備されており、携帯電話で撮影した写真や、インターネットから取得した文書データをプリント出力することが要望されている。そこで従来では、携帯電話に保持された写真データや、取得情報をプリンタに直接送信し印刷出力可能な技術が開示されている。
【特許文献１】特開２００５−１０２１１８号公報  （第１図）
【発明の開示】
【発明が解決しようとする課題】
【０００３】
しかし、このような従来例では、プリンタへデータを送って印刷する携帯電話について述べられているが、携帯電話では、操作できるキーが少ないため、写真や文書データを編集するには煩雑なキー操作が必要となり、一般的には編集をすることなくプリンタにデータ送信するみであった。
【０００４】
そこで本発明では、文書テンプレートデータを保持しているネットワーク上のサーバーに接続し、文書テンプレートをダウンロードし、それを利用して文字を入力したり、携帯端末内のデータを埋め込むことにより、簡単な操作により所望のデータを作成し、プリンタへデータを送って印刷することのできる携帯端末を提供することを目的とするものである。
【課題を解決するための手段】
【０００５】
本発明は上述したような課題を解決するため、ネットワーク上のテンプレートデータサーバから、文書テンプレートのデータをダウンロードする手段と、該文書テンプレートを利用して文書データを作成する手段と、該文書データを印刷するために印刷装置へ該文書データを送信する手段とを備えたものである。
【０００６】
また本発明は上述した課題を解決するため、内部メモリ上に保持しているデータを選択することにより文書データを作成する手段を備えたものである。
【０００７】
また本発明は上述した課題を解決するため、文書テンプレートのデータをダウンロードする手段が、携帯電話網に接続するものである。
【０００８】
また本発明は上述した課題を解決するため、  文書データを送信する手段は、無線通信であることを特徴とするものである。
【発明の効果】
【０００９】
本発明によれば、画像や文字の編集機能が制限されている端末でも、簡単に所望の文書データを作成し、そのデータをプリンタへ送って印刷することができる。
【発明を実施するための最良の形態】
【００１０】
以下、本発明における実施形態について図面を用いて説明する。
【００１１】
図１は、本発明の一実施例を示す印刷システムを表す概念図である。本実施形態では、携帯電話１はBluetooth（登録商標）による無線通信機能を備えており、無線によりネットワーク接続可能な携帯情報端末である。プリンタ２もまたBluetoothによる無線通信機能を備えた印刷装置であり、携帯電話１とデータの無線送受信が可能となっている。携帯電話１は、携帯電話基地局３から携帯電話網を介してテンプレートデータサーバ４に接続し、ここに蓄積されているテンプレートデータをダウンロードし、携帯電話１内のメモリに保存することができる。ユーザーは、携帯電話１に配置されたキーボードなどから構成されるユーザーインターフェース部１１を操作して、テンプレートデータに、直接文書を入力したり、携帯電話１が保持している電話帳データを入力したりして、印刷するための文書データを作成する。携帯電話１は、プリンタ２とBluetoothによる無線通信接続をおこない、携帯電話１からプリンタ２へ文書データをBluetooth上で送信し、文書データを受信したプリンタ２が文書データに基づいて印刷をおこなう。
【００１２】
次に、図１にで示した印刷システムの主要構成である携帯電話１及び印刷装置２の構成について説明する。
【００１３】
図２は、携帯電話１の機能ブロック図を示すものである。携帯電話送受信部１６は、制御部１３からの指示による携帯電話網への接続、切断などの制御信号の送受信をおこなう。また、制御部１３からの送信データを変調して携帯電話用アンテナ１８からのデータ送信、携帯電話用アンテナ１８から受信したデータを復調して制御部１３へ送る。
【００１４】
無線通信送受信部１５は、制御部１３からの指示により、Bluetooth接続用コマンドをBluetooth用アンテナ１７を介して送受信することにより、プリンタ２とBluetooth無線通信接続が可能である。また、制御部１３からの文書データを変調してBluetooth用アンテナ１７を介してプリンタ２へ印刷データを送信することが可能である。
【００１５】
メモリ１４は電話帳データや画像データ、携帯電話網からダウンロードしたデータなど各種データを保存している。制御部１３からの指示により、メモリ１４に保存されているデータの読み出し、書き換えができる。
【００１６】
ユーザーインターフェース部１１は、携帯電話のテンキーやポインティングデバイスなどであり、ユーザーが操作することで、ユーザーから制御部１３に操作指示をあたえる。
【００１７】
表示部１２は、携帯電話のディスプレイであり、制御部１３からの指示により、ダウンロードしたファイルの表示や作成中の文書データの表示などをおこなう。
【００１８】
次に、プリンタ２の構成を説明する。図３はプリンタ２のシステム構成を示す機能ブロック図である。
【００１９】
プリンタ２は、制御部２２の指示により、Bluetooth接続用コマンドをBluetooth用アンテナ２４を介して送受信することにより、携帯電話１とBluetoothによる無線通信接続が可能である。また、携帯電話１から送信された印刷データをBluetooth用アンテナ２４を介して無線通信送受信部２３で受信および復調して制御部２２へ送り、制御部２２は印刷部２１へ印刷データを送って印刷することができる。  
以下に、上述した構成に基づいた本実施形態の動作手順を図４乃至図８を用いて示す。
【００２０】
携帯電話１のユーザーは、ユーザーインターフェース部１１を操作し、携帯電話網上のテンプレートデータサーバ４への接続指示を出す（図４のステップＳ１０）。制御部１３は、携帯電話送受信部１６へ携帯電話網への接続要求を送り、携帯電話用アンテナ１８を介して、携帯電話基地局３へ接続要求信号を送り、携帯電話網へ接続し、さらに、テンプレートデータサーバ４へ接続する。ユーザーは、ユーザーインターフェース部１１を操作して、テンプレートデータサーバ４が提供しているテンプレートの一覧を取得するよう指示する。制御部１３は、携帯電話送受信部１６へテンプレート一覧の取得要求を送り、携帯電話用アンテナ１８を介して、携帯電話基地局３へテンプレート一覧の取得要求信号を送る。携帯電話基地局３から携帯電話網を介してテンプレート一覧取得要求信号を受信したテンプレートデータサーバ４は、テンプレート一覧のデータを携帯電話網から携帯電話基地局３を介して送信する。携帯電話１は、携帯電話用アンテナ１８を介してテンプレート一覧のデータを受信し、携帯電話送受信部１６で復調し、制御部１３へ送る（ステップＳ１１）。制御部１３は、表示部１２にテンプレート一覧のデータを送り、図５のように、テンプレートデータサーバ４が提供しているテンプレートを一覧表示する。ユーザーは、ユーザーインターフェース部１１を操作して、所望のテンプレートを選択する（ステップＳ１２）。ここで、選択したテンプレートのダウンロード要求が制御部１３から無線通信送受信部１６へ送られ、携帯電話用アンテナ１８を介してテンプレートデータダウンロード要求信号が送信される。携帯電話基地局３はテンプレートデータダウンロード要求信号を受信し、携帯電話網を介してテンプレートデータサーバ４へ送る。テンプレートデータダウンロード要求を受けたテンプレートデータサーバ４は、要求されたテンプレートのデータを携帯電話網から携帯電話基地局３を介して送信する。携帯電話１は、携帯電話用アンテナ１８を介してテンプレートデータを受信し、携帯電話送受信部１６で復調し、制御部１３へ送る（ステップＳ１３）。制御部１３は、受信したテンプレートデータをメモリ１４に保存する。制御部１３は、メモリ１４上に保存されたテンプレートデータを読み出し、表示部１２へ送り、テンプレートデータを表示する（ステップＳ１４）。
【００２１】
以上述べてきたテンプレートデータサーバ４は、携帯電話網に接続しているものとして説明してきたが、テンプレートデータサーバ４は携帯電話網に接続している必要はなく、携帯電話網を通じてインターネットへ接続し、インターネット上のテンプレートデータサーバ５から同様の手順でテンプレートをダウンロードすることも可能である。
【００２２】
テンプレートの一例としては、図６のような名刺のテンプレートが挙げられる。テンプレートには、名前、電話番号、画像などを入力する場所や背景図柄が決められており、テンプレート上にに文字や画像を入力して文書データを作成する（ステップＳ１５）。まず、ユーザーは、ユーザーインターフェース部１１を操作して、テンプレート上の名前の欄を選択する。このとき、制御部１３は、メモリ１４に保存されている電話帳データを読み込み、電話帳データに登録されている名前の一覧を表示する。電話帳データは、例えばvCard形式で保存されている場合、図７に示すような書式で記述されている。ここで、Ｎの行は名前をあらわし、ＴＥＬの行は電話番号をあらわしている。Ｎの行に記述されている名前を抽出することにより、電話帳データに登録されている名前の一覧を作成することができる。ユーザーは、ユーザーインターフェース部１１を操作して、表示されている名前の一覧から、所望の名前を選択する。このとき、電話帳データに名前とともにＴＥＬの行に電話番号が記述されていたら、その電話番号をテンプレート上の電話番号の欄に表示する。次に、ユーザーは、ユーザーインターフェース部１１を操作して、テンプレート上の画像の欄を選択する。このとき、制御部１３は、メモリ１４に保存されている画像データの一覧を表示する。ユーザーは、ユーザーインターフェース部１１を操作して、所望の画像を選択する。制御部１３は、メモリ１４から画像データを読み出し、テンプレート上の画像の欄に表示する。次に、ユーザーは、テンプレート上のメモの欄を選択する。ユーザーは、ユーザーインターフェース部１１を操作して文字入力をおこない、制御部１３は入力された文字情報をテンプレート上のメモ欄に表示する。
【００２３】
以上述べてきたような手順により、図８に示すようなテンプレートを利用した文書が作成できる。
【００２４】
次に、作成した文書を印刷するため、ユーザーインターフェース部１１を操作して印刷の指示を制御部１３に与える。制御部１３は、あらかじめ接続対象となる印刷装置の固有アドレスがわかっている場合には、その固有アドレスを指定したBluetoothの接続要求信号を無線通信送受信部１５へ送り、Bluetooth用アンテナ１５を介して接続要求信号を送信する。接続対象となる印刷装置の情報を持っていない場合には、周囲に接続可能なBluetooth機器があるかどうかを探るため、制御部１３からInquiryコマンドの送信要求を無線通信送受信部１５へ送り、Bluetooth用アンテナ１７を介してInquiry信号を送信する。Inquiry信号は、周囲に存在するBluetooth機器を検索するために発行する信号で、周囲のBluetooth機器はInquiry信号を受信し、Inquiry応答信号を返す。Inquiry信号を送信したBluetooth機器がこのInquiry応答信号を受信して、周囲のBluetooth機器の存在を知ることができる。
【００２５】
プリンタ２は、Bluetooth用アンテナ２４を介して携帯電話１から送信されたInquiry信号を受信し、無線通信送受信部２３で復調し、制御部２２へ送る。制御部２２では、Inquiryに対する応答信号を無線通信送受信部２３へ送り、Inquiry応答信号をBluetooth用アンテナ２４を介して送信する。Inquiry応答信号には、プリンタ２の固有アドレスの情報が含まれている。携帯電話１は、Bluetooth用アンテナ１７を介してInquiry応答信号を受信し、無線通信送受信部１５で復調し、制御部１３へ送る。制御部１３は、Inquiry応答信号を解析し、プリンタ２の固有アドレスを取得する。制御部１３は、取得したプリンタ２の固有アドレスを指定したBluetoothの接続要求信号を無線通信送受信部１５へ送り、Bluetooth用アンテナ１７を介して接続要求信号を送信する。プリンタ２は、Bluetooth用アンテナ２４を介して接続要求信号を受信し、無線通信送受信部２３で復調し、制御部２２へ送る。制御部２２では、接続要求に対する応答信号を無線通信送受信部２３へ送り、接続要求応答信号をBluetooth用アンテナ２４を介して送信する。携帯電話１は、Bluetooth用アンテナ１７を介してプリンタ２から送信された接続要求応答信号を受信し、無線通信送受信部１５で復調し、制御部１３へ送る。制御部１３が接続要求応答信号を受信することにより、携帯電話１とプリンタ２との間でBluetoothによる無線通信接続が確立する。
【００２６】
携帯電話１の制御部１３は、作成した文書データを無線通信送受信部１６へ送り、無線通信送受信部１５で変調し、Bluetooth用アンテナ１７を介してプリンタ２へ送信する（ステップＳ１６）。プリンタ２は、Bluetooth用アンテナ１７を介して携帯電話１からの文書データを受信し、無線通信送受信部２３で復調し、制御部２２へ送る。制御部２２は、受信した文書データを印刷部２１へ送り、文書データの印刷がおこなわれる。
【００２７】
以上述べてきた動作手順により、ユーザーは、携帯電話１上で文書レイアウトの調整や、文書データの文字入力などの煩雑な操作をほとんどおこなわなくとも、ネットワーク上からダウンロードした文書テンプレートを利用して、携帯電話１内の情報を選択して文書データを作成することができ、作成した文書データをプリンタ２へ送信し、プリンタ２で印刷することができる。
【００２８】
以上本実施形態によれば、携帯電話のような、画像や文字の編集機能が制限されている端末でも、簡単に所望の文書データを作成し、そのデータをプリンタへ送って印刷することができるものである。
【図面の簡単な説明】
【００２９】
【図１】本発明の一実施形態における印刷システムの構成を示すブロック図
【図２】同実施形態における携帯電話の内部構成を示すブロック図
【図３】同実施形態におけるプリンタの内部構成を示すブロック図
【図４】同実施形態の動作手順を説明するためのフローチャートである。
【図５】同実施形態におけるテンプレートデータの一覧表示の例を示す図
【図６】同実施形態におけるテンプレートデータの表示の例を示す図
【図７】同実施形態の携帯端末装置内に保存されている電話帳データの例を示す図
【図８】同実施形態の携帯端末装置で作成された文書データの例を示す図
【符号の説明】
【００３０】
１…携帯電話、  ２…プリンタ、  ３…携帯電話基地局、４、５…テンプレートデータサーバ、１１…ユーザーインターフェース部、１２…表示部、１３…制御部、１４…メモリ、１５…無線通信送受信部、１６…携帯電話送受信部、１７…Bluetooth用アンテナ、１８…携帯電話用アンテナ、２１…印刷部、２２…制御部、２３…無線通信送受信部、２４…Bluetooth用アンテナ。
【図１】
2007122386.tif 000003
【図２】
2007122386.tif 000004
【図３】
2007122386.tif 000005
【図４】
2007122386.tif 000006
【図５】
2007122386.tif 000007
【図６】
2007122386.tif 000008
【図７】
2007122386.tif 000009
【図８】
2007122386.tif 000010